【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
図書の書誌データを蓄積したローカルデータベースから、購入したい図書を検索し、該検索した結果を利用して図書の購入依頼及び／又は発注を行うための図書購入依頼／発注システムであって、購入したい図書の書誌データを、多数の利用者が共同して利用できる図書の書誌データが格納されているネットワーク上の大規模なデータベースからオンライン接続して検索してダウンロードする手段と、図書を管理しているローカルデータベースから購入したい図書を検索できなかった場合に、自動的に前記検索してダウンロードする手段を利用して購入したい図書を検索して、図書の購入依頼及び／又は発注を行う手段を有することを特徴とする図書購入依頼／発注システム。
【請求項２】
図書館において図書の書誌データを蓄積したローカルデータベースから、購入したい図書を検索し、該検索した結果を利用して図書の購入依頼及び／又は発注を行うための図書購入依頼／発注システムであって、購入したい図書の書誌データを、多数の図書館が共同して利用できる図書の書誌データが格納されているネットワーク上の大規模なデータベースからオンライン接続して検索してダウンロードする手段と、図書館で管理しているローカルデータベースから購入したい図書を検索できなかった場合に、自動的に前記検索してダウンロードする手段を利用して購入したい図書を検索して、図書の購入依頼及び／又は発注を行う手段を有することを特徴とする図書購入依頼／発注システム。
【請求項３】
前記ダウンロードされた書誌データ、及び／又は、前記購入依頼／発注した図書の書誌データを前記ローカルデータベースに登録する手段を有することを特徴とする請求項１又は２記載の図書購入依頼／発注システム。
【請求項４】
前記ローカルデータベース及び大規模なデータベースにアクセスし、書誌データのうち少なくとも１項目を入力して、購入したい図書を検索するための検索画面をユーザに示すためのグラフィカルユーザインタフェースを備え、該グラフィカルユーザインタフェースは、検索後、検索した書誌データと共に図書の購入依頼及び／又は発注を行うための購入依頼／発注画面をユーザに示すことを特徴とする請求項１乃至３のいずれか１項記載の図書購入依頼／発注システム。
【請求項５】
前記ローカルデータベース及び大規模なデータベースにアクセスし、書誌データのうち少なくとも１項目を入力して、購入したい図書を検索するための検索表示領域と、図書の購入依頼及び／又は発注を行うための購入依頼／発注表示領域と、を有する画面をユーザに示すためのグラフィカルユーザインタフェースを備えることを特徴とする請求項１乃至３のいずれか１項記載の図書購入依頼／発注システム。
【請求項６】
請求項１乃至５のいずれか１記載の図書購入依頼／発注システムとして機能させるためのプログラム。
【請求項７】
請求項１乃至５のいずれか１記載の図書購入依頼／発注システムとして機能させるためのプログラムを記録したコンピュータ読み取り可能な記録媒体。
【手続補正２】
【補正対象書類名】明細書
【補正対象項目名】０００１
【補正方法】変更
【補正の内容】
【０００１】
【発明の属する技術分野】
本発明は、図書館、学校や企業などにおいて図書を購入するときに利用する図書購入依頼／発注システム、該システムとして機能させるためのプログラム、及び該プログラムを記録したコンピュータ読み取り可能な記録媒体に関する。
【手続補正３】
【補正対象書類名】明細書
【補正対象項目名】００１４
【補正方法】変更
【補正の内容】
【００１４】
【課題を解決するための手段】
請求項１の発明は、図書の書誌データを蓄積したローカルデータベースから、購入したい図書を検索し、該検索した結果を利用して図書の購入依頼及び／又は発注を行うための図書購入依頼／発注システムであって、購入したい図書の書誌データを、多数の利用者が共同して利用できる図書の書誌データが格納されているネットワーク上の大規模なデータベースからオンライン接続して検索してダウンロードする手段と、図書を管理しているローカルデータベースから購入したい図書を検索できなかった場合に、自動的に前記検索してダウンロードする手段を利用して購入したい図書を検索して、図書の購入依頼及び／又は発注を行う手段を有することを特徴としたものである。
請求項２の発明は、図書館において図書の書誌データを蓄積したローカルデータベースから、購入したい図書を検索し、該検索した結果を利用して図書の購入依頼及び／又は発注を行うための図書購入依頼／発注システムであって、購入したい図書の書誌データを、多数の図書館が共同して利用できる図書の書誌データが格納されているネットワーク上の大規模なデータベースからオンライン接続して検索してダウンロードする手段と、図書館で管理しているローカルデータベースから購入したい図書を検索できなかった場合に、自動的に前記検索してダウンロードする手段を利用して購入したい図書を検索して、図書の購入依頼及び／又は発注を行う手段を有することを特徴としたものである。
【手続補正４】
【補正対象書類名】明細書
【補正対象項目名】００１５
【補正方法】変更
【補正の内容】
【００１５】
請求項３の発明は、請求項１又は２の発明において、前記ダウンロードされた書誌データ、及び／又は、前記購入依頼／発注した図書の書誌データを前記ローカルデータベースに登録する手段を有することを特徴としたものである。
【手続補正５】
【補正対象書類名】明細書
【補正対象項目名】００１６
【補正方法】変更
【補正の内容】
【００１６】
請求項４の発明は、請求項１乃至３のいずれか１記載の発明において、前記ローカルデータベース及び大規模なデータベースにアクセスし、書誌データのうち少なくとも１項目を入力して、購入したい図書を検索するための検索画面をユーザに示すためのグラフィカルユーザインタフェースを備え、該グラフィカルユーザインタフェースは、検索後、検索した書誌データと共に図書の購入依頼及び／又は発注を行うための購入依頼／発注画面をユーザに示すことを特徴としたものである。
【手続補正６】
【補正対象書類名】明細書
【補正対象項目名】００１７
【補正方法】変更
【補正の内容】
【００１７】
請求項５の発明は、請求項１乃至３のいずれか１記載の発明において、前記ローカルデータベース及び大規模なデータベースにアクセスし、書誌データのうち少なくとも１項目を入力して、購入したい図書を検索するための検索表示領域と、図書の購入依頼及び／又は発注を行うための購入依頼／発注表示領域と、を有する画面をユーザに示すためのグラフィカルユーザインタフェースを備えることを特徴としたものである。
【手続補正７】
【補正対象書類名】明細書
【補正対象項目名】００１８
【補正方法】変更
【補正の内容】
【００１８】
請求項６の発明は、請求項１乃至５のいずれか１記載の図書購入依頼／発注システムとして機能させるためのプログラムである。
【手続補正８】
【補正対象書類名】明細書
【補正対象項目名】００１９
【補正方法】変更
【補正の内容】
【００１９】
請求項７の発明は、請求項１乃至５のいずれか１記載の図書購入依頼／発注システムとして機能させるためのプログラムを記録したコンピュータ読み取り可能な記録媒体である。
【手続補正９】
【補正対象書類名】明細書
【補正対象項目名】００２０
【補正方法】変更
【補正の内容】
【００２０】
【発明の実施の形態】
本発明の図書購入依頼／発注システムは、図書（雑誌、及びデータが格納された記録媒体も含む）の発注、或いは購入依頼（稟議書作成及び／又は提出）を行う際、図書館、学校や企業などのローカルデータベース内の検索に加え、自動的に大規模書誌情報データベースを検索し、ダウンロードする機能を追加することにより、１つのシステムで全ての処理が行え、非常に能率よく作業ができるようにしている。すなわち、本発明は、多数の利用者が共同して利用できる書誌情報が格納されている大規模なデータベースをオンライン接続して検索し、書誌データをダウンロードする手段を備えた図書購入依頼／発注システムである。